(57)【要約】【課題】コンテンツデータを再生することが可能な再生装置、再生方法およびプログラムを提供すること。【解決手段】音声データを含むコンテンツデータを再生可能な再生装置であって、所定の処理の実行を指示する指示操作を検出する指示操作部２３と、指示操作部に対する指示操作を受け付けない状態に設定するホールド設定操作を検出するホールド操作部と、ホールド操作部によりホールド設定操作が検出されると、指示操作部に対する指示操作を受け付けない状態に設定する状態制御部２３４と、映像を表示するための処理を行う映像処理部２５０とを備え、状態制御部は、ホールド設定操作が検出されたときに映像処理部が映像を表示するための処理を行っていた場合、映像処理部に映像を表示するための処理の少なくとも一部を停止させることを特徴とする。【選択図】図４
2008204512.tif 000002
【特許請求の範囲】
【請求項１】
音声データを含むコンテンツデータを再生可能な再生装置であって：
所定の処理の実行を指示する指示操作を検出する指示操作部と；
前記指示操作部に対する指示操作を受け付けない状態に設定するホールド設定操作を検出するホールド操作部と；
前記ホールド操作部により前記ホールド設定操作が検出されると、前記指示操作部に対する指示操作を受け付けない状態に設定する状態制御部と；
映像を表示するための処理を行う映像処理部と；
を備え、
前記状態制御部は、前記ホールド設定操作が検出されたときに前記映像処理部が前記映像を表示するための処理を行っていた場合、前記映像処理部に前記映像を表示するための処理の少なくとも一部を停止させることを特徴とする、再生装置。
【請求項２】
前記映像処理部は映像を表示する表示部を備え、前記状態制御部は、前記ホールド操作部により前記ホールド設定操作が検出されると、前記表示部に前記映像の表示を停止させることを特徴とする、請求項１に記載の再生装置。
【請求項３】
前記状態制御部は、前記ホールド操作部により前記ホールド設定操作が検出されてから第一の所定時間が経過した後に、前記表示部に前記映像の表示を停止させることを特徴とする、請求項２に記載の再生装置。
【請求項４】
前記状態制御部は、前記ホールド設定操作に基づいて前記表示部に前記映像の表示を停止させている場合に前記指示操作部に対する指示操作が検出されると、前記表示部に一時的に前記映像の表示を行なわせることを特徴とする、請求項２に記載の再生装置。
【請求項５】
前記状態制御部は、前記指示操作を受け付けない状態を解除するホールド解除操作が検出された後、任意のユーザ操作が検出されると、前記表示部に前記映像の表示を再開させることを特徴とする、請求項２に記載の再生装置。
【請求項６】
前記映像処理部は、コンテンツデータに含まれる動画形式の映像データをデコードするデコード部を備え、
前記状態制御部は、前記ホールド操作部により前記ホールド設定操作が検出されると前記デコード部に前記映像データのデコードを停止させることを特徴とする、請求項１に記載の再生装置。
【請求項７】
前記状態制御部は、前記ホールド操作部により前記ホールド設定操作が検出されてから第二の所定時間が経過した後に、前記デコード部に前記映像データのデコードを停止させることを特徴とする、請求項６に記載の再生装置。
【請求項８】
前記状態制御部は、前記指示操作を受け付けない状態を解除するホールド解除操作が検出されると、前記映像処理部に停止していた映像を表示するための処理を再開させることを特徴とする、請求項１に記載の再生装置。
【請求項９】
前記再生装置が前記音声データに基づいて再生する音声の音量を調整する音量調整操作を検出する音量操作部をさらに備え、
前記音量操作部に対する前記音量調整操作を、前記指示操作部に対する指示操作を受け付けない状態に設定されている場合に有効としたことを特徴とする、請求項１に記載の再生装置。
【請求項１０】
コンピュータを、
音声データを含むコンテンツデータを再生可能な再生装置であって、
所定の処理の実行を指示する指示操作を検出する指示操作部と；
前記指示操作部に対する指示操作を受け付けない状態に設定するホールド設定操作を検出するホールド操作部と；
前記ホールド操作部により前記ホールド設定操作が検出されると、前記指示操作部に対する指示操作を受け付けない状態に設定する状態制御部と；
映像を表示するための処理を行う映像処理部と；
を備え、
前記状態制御部は、前記ホールド設定操作が検出されたときに前記映像処理部が前記映像を表示するための処理を行っていた場合、前記映像処理部に前記映像を表示するための処理の少なくとも一部を停止させることを特徴とする再生装置として機能させるための、プログラム。
【請求項１１】
前記映像処理部は映像を表示する表示部を備え、前記状態制御部は、前記ホールド操作部により前記ホールド設定操作が検出されると、前記表示部に前記映像の表示を停止させることを特徴とする、請求項１０に記載のプログラム。
【請求項１２】
前記状態制御部は、前記ホールド操作部により前記ホールド設定操作が検出されてから第一の所定時間が経過した後に、前記表示部に前記映像の表示を停止させることを特徴とする、請求項１１に記載のプログラム。
【請求項１３】
前記映像処理部は、コンテンツデータに含まれる動画形式の映像データをデコードするデコード部を備え、
前記状態制御部は、前記ホールド操作部により前記ホールド設定操作が検出されると前記デコード部に前記映像データのデコードを停止させることを特徴とする、請求項１０に記載のプログラム。
【請求項１４】
前記状態制御部は、前記ホールド操作部により前記ホールド設定操作が検出されてから第二の所定時間が経過した後に、前記デコード部に前記映像データのデコードを停止させることを特徴とする、請求項１０に記載のプログラム。
【請求項１５】
音声データを含むコンテンツデータを再生可能な再生装置における再生方法であって：
前記コンテンツデータを再生するステップと；
前記再生装置に対して所定の処理を指示する指示操作を受け付けない状態に設定するホールド設定操作を検出するステップと；
前記指示操作を受け付けない状態に設定するステップと；
前記コンテンツデータの再生のうち、映像を表示するための処理の少なくとも一部を停止するステップと；
を含むことを特徴とする、再生方法。
【請求項１６】
音声データと映像データが同期して再生されるコンテンツデータを再生可能な再生装置であって：
所定の処理の実行を指示する指示操作を検出する指示操作部と；
前記指示操作部に対する指示操作を受け付けない状態に設定するホールド設定操作を検出するホールド操作部と；
前記ホールド設定操作に基づいて、前記指示操作部に対する指示操作を受け付けない状態に設定する状態制御部と；
前記音声データに基づいて音声を出力するための処理を行う音声処理部と；
を備え、
前記状態制御部は、前記ホールド操作部により前記ホールド設定操作が検出されたときに前記音声処理部が前記音声を出力するための処理を行っていた場合、前記音声処理部に前記音声を出力するための処理の少なくとも一部を停止させることを特徴とする、再生装置。
【請求項１７】
前記音声処理部は、前記音声データに基づく音声を出力する音声出力部を備え、前記状態制御部は、前記ホールド操作部により前記ホールド設定操作が検出されてから第一の所定時間が経過すると前記音声処理部に前記音声の出力を停止させることを特徴とする、請求項１６に記載の再生装置。
【請求項１８】
前記状態制御部は、前記ホールド設定操作に基づいて前記音声出力部に前記音声の出力を停止させている場合であっても、前記指示操作部に対する指示操作が検出されると前記音声出力部に一時的に前記音声の出力を行なわせることを特徴とする、請求項１７に記載の再生装置。
【請求項１９】
前記状態制御部は、前記指示操作を受け付けない状態を解除するホールド解除操作が検出された後、任意のユーザ操作が検出されると、前記音声出力部に前記音声の出力を再開させることを特徴とする、請求項１７に記載の再生装置。
【請求項２０】
前記音声処理部は、前記音声データをデコードする音声デコード部を備え、前記状態制御部は、前記ホールド操作部により前記ホールド設定操作が検出されてから第二の所定時間が経過すると、前記音声デコード部に前記音声の出力を停止させることを特徴とする、請求項１６に記載の再生装置。
【発明の詳細な説明】
【技術分野】
【０００１】
本発明は、コンテンツデータを再生することが可能な再生装置、再生方法およびプログラムに関する。
【背景技術】
【０００２】
近日、映像データおよび音声データを含む映画やテレビ番組などのコンテンツデータを再生可能な携帯機器が普及している。このような携帯機器は、一般に、映像データをデコードする映像デコーダ、デコードされた映像データを表示するディスプレイ、音声データをデコードする音声デコーダ、およびデコードされた音声データを出力する音声出力部を備える。
【０００３】
例えば、特許文献１には、映像デコーダによりデコードされた動画像データや静止画像データをディスプレイに表示し、音声デコーダによりデコーダされた音声データをスピーカから出力する画像表示用の携帯機器が開示されている。
【０００４】
【特許文献１】特開平１０−３４００６６号公報
【発明の開示】
【発明が解決しようとする課題】
【０００５】
しかし、携帯機器を利用するユーザの周囲の環境や、携帯機器において再生されるコンテンツデータによっては、映像、または音声を再生する必要が無い場合がある。例えば、混雑した電車内では、携帯機器を手にとって見ることが困難であるため映像の再生が不要である。一方、コンテンツデータの再生時、コンテンツデータの再生のために映像デコーダ、ディスプレイ、音声デコーダおよび音声出力部などの各構成を動作させ続けると、有限である携帯機器の電源が過度に消費されてしまうという問題があった。
【０００６】
そこで、本発明は、上記問題に鑑みてなされたものであり、本発明の目的とするところは、必要に応じてコンテンツデータの再生に関する少なくとも一部の処理を停止させ、消費電力を抑制することが可能な、新規かつ改良された再生装置、再生方法およびプログラムを提供することにある。
【課題を解決するための手段】
【０００７】
上記課題を解決するために、本発明のある観点によれば、音声データを含むコンテンツデータを再生可能な再生装置であって、所定の処理の実行を指示する指示操作を検出する指示操作部と、指示操作部に対する指示操作を受け付けない状態に設定するホールド設定操作を検出するホールド操作部と、ホールド操作部によりホールド設定操作が検出されると、指示操作部に対する指示操作を受け付けない状態に設定する状態制御部と、映像を表示するための処理を行う映像処理部と、を備え、状態制御部は、ホールド設定操作が検出されたときに映像処理部が映像を表示するための処理を行っていた場合、映像処理部に映像を表示するための処理の少なくとも一部を停止させることを特徴とする、再生装置が提供される。
【０００８】
かかる構成においては、指示操作部に対する指示操作を受け付けない状態に設定するホールド設定操作がホールド操作部により検出されると、状態制御部は表示部やデコード部などの映像処理部に映像を表示するための少なくとも一部の処理を停止させる。したがって、混んだ電車内や運転中などユーザが再生装置の表示画面を見れない場面や、映像が必ずしも重要でないコンテンツデータを再生する場合においては、ユーザがホールド操作部に対してホールド設定操作を行い映像処理部における少なくとも一部の処理を停止させ、映像処理部および再生装置の消費電力を抑制することができる。
【０００９】
また、混んだ電車内や乗り物の運転中などユーザが再生装置の表示画面を見れない場面においては、ユーザは再生装置をユーザによる操作を受け付けない状態にしてポケットやバッグの中にしまう場合が多い。ここで、再生装置がポケットやバッグの中にしまわれる場合には、ユーザが再生装置の表示画面を見ることはできないため、映像処理部は映像を表示するための処理を行っている必要は無い。すなわち、ユーザが再生装置をユーザによる操作を受け付けない状態にする場面と、映像処理部による映像を表示するための処理が不要な場面は一致する可能性が高い。
【００１０】
そこで、当該再生装置は、ホールド操作部に対する設定操作に基づいて、指示操作を受け付けるか否かの状態の設定と、映像処理部における少なくとも一部の処理を停止させるか否かの設定とを連動して行えるようにした。かかる構成によれば、再生装置の指示操作を受け付けない状態への設定と、映像処理部における少なくとも一部の処理の停止と、をユーザがホールド操作部に対してホールド設定操作を行うのみで実現できるため、ユーザの利便性を向上させることができる。
【００１１】
また、映像処理部は映像を表示する表示部を備え、状態制御部は、ホールド操作部によりホールド設定操作が検出されると、表示部に映像の表示を停止させてもよい。かかる構成においては、ホールド操作部に対するホールド設定操作が検出されると、表示部による映像の表示の停止と、指示操作部に対する指示操作を受け付けない状態への設定とが連動して行われる。したがって、ユーザは、必要に応じてホールド操作部に対してホールド設定操作を行い、表示部による映像の表示を停止させて表示部および再生装置において消費される電力を抑制できる。
【００１２】
なお、表示部が液晶ディスプレイであった場合、上記映像の表示の停止は、液晶ディスプレイのバックライトを停止することであっても、液晶分子への電圧の印加を停止することであっても、液晶ディスプレイのバックライトおよび液晶分子への電圧の印加を停止することであってもよい。
【００１３】
また、状態制御部は、ホールド操作部によりホールド設定操作が検出されてから第一の所定時間が経過した後に、表示部に映像の表示を停止させてもよい。ここで、状態設定部は、ホールド操作部に対するホールド設定操作に基き、指示操作部に対する指示操作を受け付けるか否かの状態の設定を行う。また、ユーザは、誤って、または無意識にホールド操作部を操作してしまう場合がある。このような誤った操作がされる度に表示部による映像の表示が停止されることはユーザにとって煩雑である。そこで、表示部を、指示操作部に対する指示操作を受け付けない状態に設定されてから第一の所定時間が経過した後に映像の表示を停止するよう構成することにより、ユーザが誤って、または無意識にホールド操作部を操作してしまった度に表示部による映像の表示が停止されることを防止できる。
【００１４】
また、状態制御部は、ホールド設定操作に基づいて表示部に映像の表示を停止させている場合に指示操作部に対する指示操作が検出されると、表示部に一時的に映像の表示を行なわせてもよい。例えば、映像の表示が停止されていても、ユーザは、再生されているコンテンツデータの音声に基づきコンテンツデータの映像を見たいと感じる場合がある。上記構成を有する再生装置においては、ユーザは、指示操作部に対して所定の処理の実行を指示する指示操作を行い、表示部に映像を一時的に表示させることができる。
【００１５】
状態制御部は、指示操作を受け付けない状態を解除するホールド解除操作が検出された後、任意のユーザ操作が検出されると、表示部に映像の表示を再開させてもよい。
【００１６】
また、映像処理部は、コンテンツデータに含まれる動画形式の映像データをデコードするデコード部を備え、状態制御部は、ホールド操作部によりホールド設定操作が検出されるとデコード部に映像データのデコードを停止させてもよい。かかる構成においては、ホールド操作部に対するホールド設定操作が検出されると、デコード部による映像データのデコードの停止と、指示操作部に対する指示操作を受け付けない状態への設定とが連動して行われる。したがって、ユーザは必要に応じてホールド操作部に対して設定操作を行いデコード部による映像データのデコードを停止させることにより、デコード部および再生装置において消費される電力を抑制できる。
【００１７】
また、状態制御部は、ホールド操作部によりホールド設定操作が検出されてから第二の所定時間が経過した後に、デコード部に映像データのデコードを停止させてもよい。ここで、表示部は、映像の表示を指示されると、停止していた映像の表示を該指示があってからほぼ遅延なく行ない得る。一方、デコード部は、映像データのデコードの実行を指示されてから、映像データをデコードして出力するまで遅延時間を生ずる場合がある。そこで、誤ってホールド操作部によりホールド設定操作が検出されても、デコード部にある程度の時間が経過するまで映像データのデコードを継続させることにより、当該再生装置が映像の表示を指示されてから早期に映像を再表示することが可能となる。
【００１８】
状態制御部は、指示操作を受け付けない状態を解除するホールド解除操作が検出されると、映像処理部に停止していた映像を表示するための処理を再開させてもよい。
【００１９】
また、再生装置が音声データに基づいて再生する音声の音量を調整する音量調整操作を検出する音量操作部をさらに備え、音量操作部に対する音量調整操作を、指示操作部に対する指示操作を受け付けない状態に設定されている場合に有効としてもよい。かかる構成においては、例えば、ユーザが音量操作部に対して音量調整操作を行なうと、状態設定部により指示操作部に対する指示操作を受け付けない状態に設定されているか否かに拘らず、再生される音声の音量を調整することができる。すなわち、ユーザが音量調整のために指示操作部に対する指示操作を受け付けない状態を解除する必要がない点で有効である。
【００２０】
また、上記課題を解決するために、本発明の別の観点によれば、コンピュータを、音声データを含むコンテンツデータを再生可能な再生装置であって、所定の処理の実行を指示する指示操作を検出する指示操作部と、指示操作部に対する指示操作を受け付けない状態に設定するホールド設定操作を検出するホールド操作部と、ホールド操作部によりホールド設定操作が検出されると、指示操作部に対する指示操作を受け付けない状態に設定する状態制御部と、映像を表示するための処理を行う映像処理部と、を備え、状態制御部は、ホールド設定操作が検出されたときに映像処理部が映像を表示するための処理を行っていた場合、映像処理部に映像を表示するための処理の少なくとも一部を停止させることを特徴とする再生装置として機能させるための、プログラムが提供される。
【００２１】
かかるプログラムは、ＣＰＵ、ＲＯＭまたはＲＡＭなどを含むコンピュータのハードウェア資源に、上記のような状態設定部および映像処理部などの機能を実行させることができる。すなわち、当該プログラムを用いるコンピュータを、上述の再生装置として機能させることが可能である。
【００２２】
映像処理部は映像を表示する表示部を備え、状態制御部は、ホールド操作部によりホールド設定操作が検出されると、表示部に映像の表示を停止させてもよい。
【００２３】
状態制御部は、ホールド操作部によりホールド設定操作が検出されてから第一の所定時間が経過した後に、表示部に映像の表示を停止させてもよい。
【００２４】
映像処理部は、コンテンツデータに含まれる動画形式の映像データをデコードするデコード部を備え、状態制御部は、ホールド操作部によりホールド設定操作が検出されるとデコード部に映像データのデコードを停止させてもよい。
【００２５】
状態制御部は、ホールド操作部によりホールド設定操作が検出されてから第二の所定時間が経過した後に、デコード部に映像データのデコードを停止させてもよい。
【００２６】
また、上記課題を解決するために、本発明の別の観点によれば、音声データを含むコンテンツデータを再生可能な再生装置における再生方法であって、コンテンツデータを再生するステップと、再生装置に対して所定の処理を指示する指示操作を受け付けない状態に設定するホールド設定操作を検出するステップと、指示操作を受け付けない状態に設定するステップと、コンテンツデータの再生のうち、映像を表示するための処理の少なくとも一部を停止するステップと、を含むことを特徴とする、再生方法が提供される。
【００２７】
かかる構成においては、再生装置に対して所定の処理を指示する指示操作を受け付けない状態に設定するホールド設定操作が検出されると、再生装置は指示操作を受け付けない状態に設定され、また、再生装置は映像を表示するための処理の少なくとも一部を停止する。すなわち、当該再生方法は、所定の処理を指示する指示操作を受け付けるか否かの設定と、映像を表示するための処理のうち少なくとも一部の処理を停止させるか否かの設定とを連動させることにより、ユーザの利便性を向上させることができる。
【００２８】
また、上記課題を解決するために、本発明の別の観点によれば、音声データと映像データが同期して再生されるコンテンツデータを再生可能な再生装置であって、所定の処理の実行を指示する指示操作を検出する指示操作部と、指示操作部に対する指示操作を受け付けない状態に設定するホールド設定操作を検出するホールド操作部と、ホールド設定操作に基づいて、指示操作部に対する指示操作を受け付けない状態に設定する状態制御部と、音声データに基づいて音声を出力するための処理を行う音声処理部と、を備え、状態制御部は、ホールド操作部によりホールド設定操作が検出されたときに音声処理部が音声を出力するための処理を行っていた場合、音声処理部に音声を出力するための処理の少なくとも一部を停止させることを特徴とする再生装置が提供される。
【００２９】
音声処理部は、音声データに基づく音声を出力する音声出力部を備え、状態制御部は、ホールド操作部によりホールド設定操作が検出されてから第一の所定時間が経過すると音声処理部に音声の出力を停止させてもよい。かかる構成においては、ホールド操作部に対するホールド設定操作が検出されると、音声出力部による音声の出力の停止と、指示操作部に対する指示操作を受け付けない状態への設定とが連動して行われる。したがって、ユーザは、必要に応じてホールド操作部に対してホールド設定操作を行い音声出力部による音声の出力を停止させることにより、音声出力部および再生装置において消費される電力を抑制できる。
【００３０】
状態制御部は、ホールド設定操作に基づいて音声出力部に音声の出力を停止させている場合であっても、指示操作部に対する指示操作が検出されると音声出力部に一時的に音声の出力を行なわせてもよい。例えば、音声の出力が停止されていても、ユーザは、再生されているコンテンツデータの映像に基づきコンテンツデータの音声を聞きたいと思う場合がある。上記構成を有する再生装置においては、ユーザは、指示操作部に対して所定の処理の実行を指示する指示操作を行い、音声出力部に音声を一時的に出力させることができる。
【００３１】
状態制御部は、指示操作を受け付けない状態を解除するホールド解除操作が検出された後、任意のユーザ操作が検出されると、音声出力部に音声の出力を再開させてもよい。
【００３２】
音声処理部は、音声データをデコードする音声デコード部を備え、状態制御部は、ホールド操作部によりホールド設定操作が検出されてから第二の所定時間が経過すると、音声デコード部に音声の出力を停止させてもよい。
【発明の効果】
【００３３】
以上説明したように本発明にかかる再生装置、再生方法およびプログラムよれば、必要に応じて再生装置におけるコンテンツデータの再生に関する少なくとも一部の処理を停止させ、消費電力を抑制することができる。
【発明を実施するための最良の形態】
【００３４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３５】
（第１の実施形態）
まず、本発明の第１の実施形態について説明する。本実施形態の説明においては、再生装置としての携帯機器２０を含むコンテンツ通信システム１について図１および図２を参照して説明した後、図３および図４を参照して本実施形態にかかる携帯機器２０の構成を説明し、図５〜図１３を参照して本実施形態にかかる携帯機器２０の動作を説明する。
【００３６】
図１は、本実施形態にかかるコンテンツ通信システム１の構成を示した説明図である。コンテンツ通信システム１は、コンテンツ配信サーバ１０と、通信網１２と、携帯機器２０と、ＰＣ３０と、を含み、携帯機器２０におけるコンテンツデータの再生を可能とする。
【００３７】
コンテンツ配信サーバ１０は、通信網１２を介して携帯機器２０やＰＣ３０にコンテンツデータを配信、送信あるいは放送する。例えば、コンテンツ配信サーバ１０は、デジタル形式のコンテンツデータを通信網１２としての無線電波を用いて送信するワンセグ放送を行なったり、デジタルラジオの放送を行なうことができる。なお、通信網１２は、銅線または光ファイバーなどの有線ケーブルや、無線電波などのデータの伝送路、またはルータや通信を制御する基地局などのデータの中継機などを含んでもよい。
【００３８】
また、コンテンツデータは、音楽、講演およびラジオ番組などの音楽データや、映画、テレビジョン番組、ビデオプログラム、写真、文書、絵画および図表などの映像および／または音声データや、ゲームおよびソフトフェアなどの任意のデータを含む概念である。なお、
【００３９】
ＰＣ３０は、通信網１２を介してコンテンツ配信サーバ１０から放送されるコンテンツデータを内蔵する記憶媒体に記録することができる。また、ＰＣ３０は、ＣＤ−Ｒ（Ｃｏｍｐａｃｔ  Ｄｉｓｃ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）／ＲＷ／＋Ｒ／＋ＲＷ／ＲＡＭ（Ｒａｍｄａｍ  Ａｃｃｅｓｓ  Ｍｅｍｏｒｙ）およびＢＤ（Ｂｌｕ−Ｒａｙ  Ｄｉｓｃ（登録商標））―Ｒ／ＢＤ−ＲＥなどの光ディスクに記憶されたコンテンツデータを、内蔵する記憶媒体に記録することもできる。
【００４０】
また、ＰＣ３０は、内蔵する記憶媒体に記録されているコンテンツデータを携帯機器２０に送信したり、携帯機器２０が記憶するコンテンツデータおよびコンテンツデータの検索用データベースのデータ構造などの管理を行なうことができる。ここで、ＰＣ３０は、コンテンツデータを携帯機器２０にダウンロード方式で送信することも、ストリーミング方式で送信することもできる。ストリーミング方式は、携帯機器２０におけるコンテンツデータの再生速度に同期しながらコンテンツデータを時系列に送信する方式である。一方、ダウンロード方式は、コンテンツデータの全体を携帯機器２０に送信した後に携帯機器２０におけるコンテンツデータの再生を可能とする送信方式である。
【００４１】
携帯機器２０は、コンテンツ配信サーバ１０から送信されたコンテンツデータや、ＰＣ３０から送信されたコンテンツデータを記憶媒体に記録することができる。また、携帯機器２０は、記憶媒体に記録されたコンテンツデータを検索するために、１または２以上のコンテンツデータに対応するメタデータが階層化された検索用データベースを記憶する。また、携帯機器２０は、検索用データベースを用いて検索されたメタデータに対応するコンテンツデータを再生する機能も有する。図２を参照してこのような携帯機器２０の外観構成の一例を説明する。
【００４２】
図２は、本実施形態にかかる携帯機器２０の外観構成例を示した説明図である。詳細には、図２（ａ）は本実施形態にかかる携帯機器２０の正面図であり、図２（ｂ）は本実施形態にかかる携帯機器２０の指示操作部２３を拡大して示した説明図である。図２（ａ）に示した例では、携帯機器２０は、表示部２１、音声出力部２２、指示操作部２３、ホールド操作部２６および音量操作部２８を備える。
【００４３】
表示部２１は、映像を表示する機能を有し、例えば、液晶ディスプレイ（ＬＣＤ）、有機ＥＬ（Ｅｌｅｃｔｒｏ  Ｌｕｍｉｎｅｓｃｅｎｃｅ）ディスプレイ、またはプラズマディスプレイであってもよい。表示部２１には、コンテンツデータに含まれる映像データに基づく映像や、コンテンツデータの再生状況を示す映像などが表示される。
【００４４】
音声出力部２２は、コンテンツデータに含まれる音声データに基づく音声を出力する機能を有する。なお、図２（ａ）においては音声出力部２２の一例としてイヤホンを示したにすぎず、音声出力部２２は、スピーカであっても、ヘッドホンであってもよい。
【００４５】
指示操作部２３は、携帯機器２０に対して所定の処理の実行を指示したり、携帯機器２０へのデータ入力を指示する指示操作を検出する。所定の処理としては、例えば、コンテンツデータの再生、コンテンツデータの一時停止、コンテンツデータの早送り、コンテンツデータの巻き戻しなどがあげられる。また、指示操作部２３は、図２（ｂ）に示したように、上ボタン２３Ａ、下ボタン２３Ｂ、左ボタン２３Ｃおよび右ボタン２３Ｄなどの十字キーと、決定ボタン２３Ｅ、リターンボタン２３Ｆ、およびメニューボタン２３Ｇを含む。
【００４６】
十字キーを構成する各ボタン２３Ａ〜２３Ｄは、表示部２１に表示される各種選択項目にカーソルを合わせる際に用いられる。例えば、上ボタン２３Ａが押圧されるとカーソルが上に移動し、下ボタン２３Ｂが押圧されるとカーソルが下に移動し、左ボタン２３Ｃが押圧されるとカーソルが左に移動し、右ボタン２３Ｄが押圧されるとカーソルが右に移動するようにしてもよい。ここで、選択項目としては、コンテンツの名称、アルバムの名称、編集するコンテンツのメタデータの種類などがあげられる。
【００４７】
また、決定ボタン２３Ｅは、カーソルがあてられている選択項目を実行する際に用いられる。また、リターンボタン２３Ｆは、表示部２１に表示される表示画面を以前の状態に戻す際に用いられる。また、メニューボタン２３Ｇは、コンテンツデータのメタデータの設定や、表示部２１に表示する画面形式の設定などの各種設定のいずれを行うかを選択するためのメニュー画面を表示する際に用いられる。
【００４８】
なお、十字キーや決定ボタン２３Ｅなどは、指示操作部２３の具体的構成の一例として示したにすぎず、指示操作部２３は、例えば、タッチパネル、ボタン、スイッチ、レバー、ダイヤルや、リモートコントローラが発生する赤外線信号用の受光部などで構成することも可能である。
【００４９】
ホールド操作部２６は、指示操作部２３に対する所定の処理の実行などを指示する指示操作を受け付けるか否かの設定を切替えるためのユーザによる操作を検出する。ユーザがホールド操作部２６をＯＮにするホールドオン操作（ホールド設定操作）を行うと、指示操作部２３に対する所定の処理の実行などを指示する指示操作を受け付けないホールドオン状態となり、ユーザがホールド操作部２６をＯＦＦするホールドオフ操作（ホールド解除操作）を行なうと、指示操作部２３に対する所定の処理の実行などを指示する指示操作を受け付けるホールドオフ状態となる。例えば、ホールド操作部２６がＯＦＦである場合には、携帯機器２０はコンテンツの再生を指示する再生指示操作に基づいてコンテンツを再生するが、ホールド操作部２６がＯＮである場合には、携帯機器２０はコンテンツの再生を指示する再生指示操作が検出された場合であってもコンテンツの再生を行なわない。
【００５０】
音量操作部２８は、ユーザによる音量調整操作を検出し、イヤホン２２から再生される音声の音量を調整する機能を有する。例えば、音量操作部２８の一側が押圧されると音量が減少し、音量操作部２８の他側が押圧されると音量が増加するようにしてもよい。
【００５１】
なお、図１および図２においては、再生装置の一例として携帯機器２０を示しているが、再生装置は、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、ＰＤＡ（Ｐｅｒｓｏｎａｌ  Ｄｉｇｉｔａｌ  Ａｓｓｉｓｔａｎｔ）携帯用ゲーム機器、家電機器などの情報処理装置であってもよい。
【００５２】
以上説明したように、本実施形態にかかる携帯機器２０は、コンテンツ配信サーバ１０やＰＣ３０などから取得したコンテンツデータを再生することができる。ここで、携帯機器２０を利用するユーザの周囲の環境や、携帯機器２０において再生されるコンテンツデータによっては、映像、または音声を再生する必要が無い場合がある。例えば、コンテンツデータが音声に重きをおく内容であれば映像の再生が不要な場合がある。一方、コンテンツデータの再生時、コンテンツデータの再生のために映像デコーダ、ディスプレイ、音声デコーダおよび音声出力部などの各構成を動作させ続けると、有限である携帯機器の電源が過度に消費されてしまうという問題があった。
【００５３】
そこで、上記のような問題を一着眼点とし、必要に応じて再生装置におけるコンテンツデータの再生に関する少なくとも一部の処理を停止させ、消費電力を抑制することが可能な携帯機器２０が創作されるに至った。以下、図３〜１４を参照して本実施形態にかかる携帯機器２０の構成および動作を詳細に説明する。
【００５４】
図３は、本実施形態にかかる携帯機器２０のハードウェア構成を示した説明図である。携帯機器２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ホストバス２０４と、ブリッジ２０５と、外部バス２０６と、インタフェース２０７と、入力装置２０８と、出力装置２１０と、ストレージ装置（ＨＤＤ）２１１と、ドライブ２１２と、通信装置２１５とを備える。
【００５５】
ＣＰＵ２０１は、演算処理装置および制御装置として機能し、各種プログラムに従って携帯機器２０内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一次記憶する。これらはＣＰＵバスなどから構成されるホストバス２０４により相互に接続されている。
【００５６】
ホストバス２０４は、ブリッジ２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２０６に接続されている。なお、必ずしもホストバス２０４、ブリッジ２０５および外部バス２０６を分離構成する必要はなく、一のバスにこれらの機能を実装してもよい。
【００５７】
入力装置２０８は、例えば、マウス、キーボード、タッチパネル、ボタン、マイク、スイッチおよびレバーなどユーザが情報を入力するための指示操作部２３と、ユーザによる入力に基づいて入力信号を生成し、ＣＰＵ２０１に出力する入力制御回路などから構成されている。携帯機器２０のユーザは、該入力装置２０８を操作することにより、携帯機器２０に対して各種のデータを入力したり処理動作を指示したりすることができる。
【００５８】
出力装置２１０は、例えば、ＣＲＴ（Ｃａｔｈｏｄｅ  Ｒａｙ  Ｔｕｂｅ）ディスプレイ装置、液晶ディスプレイ（ＬＣＤ）装置およびランプなどの表示装置と、スピーカおよびヘッドホンなどの音声出力装置で構成される。出力装置２１０は、例えば、再生されたコンテンツを出力する。具体的には、表示部２１に対応する表示装置は再生された映像データ等の各種情報をテキストまたはイメージで表示する。一方、音声出力部２２に対応する音声出力装置は、再生された音声データ等を音声に変換して出力する。
【００５９】
ストレージ装置２１１は、本実施形態にかかる携帯機器２０の記憶部の一例として構成されたデータ格納用の装置であり、記憶媒体、記憶媒体にデータを記録する記録装置、記憶媒体からデータを読み出す読出し装置および記憶媒体に記録されたデータを削除する削除装置などを含むことができる。ストレージ装置２１１は、例えば、ＨＤＤ（Ｈａｒｄ  Ｄｉｓｋ  Ｄｒｉｖｅ）で構成される。このストレージ装置２１１は、ハードディスクを駆動し、ＣＰＵ２０１が実行するプログラムや各種データを格納する。また、このストレージ装置２１１には、コンテンツデータや、コンテンツデータを検索するための検索用エータベースなどが記憶される。なお、当該ストレージ装置２１１または記憶媒体は、携帯機器２０と着脱可能であってもよい。
【００６０】
ドライブ２１２は、記憶媒体用リーダライタであり、携帯機器２０に内蔵、あるいは外付けされる。ドライブ２１２は、装着されている磁気ディスク、光ディスク、光磁気ディスク、または半導体メモリ等のリムーバブル記憶媒体２４に記録されている情報を読み出して、ＲＡＭ２０３に出力する。
【００６１】
通信装置２１５は、例えば、通信網１２に接続するための通信デバイス等で構成された通信インタフェースである。また、通信装置２１５は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であっても、デジタル無線放送の受信装置であっても、アンテナやテレビチューナを含んでもよい。この通信装置２１５は、コンテンツ配信サーバ１０やＰＣ３０との間で、通信網１２を介してコンテンツデータを送受信することができる。
【００６２】
以上、図３を参照して本実施形態にかかる携帯機器２０のハードウェア構成を説明した。続いて、図４を参照して携帯機器２０の機能を説明する。
【００６３】
図４は、本実施形態にかかる携帯機器２０の構成を示した機能ブロック図である。携帯機器２０は、通信部２１６と、記録部２１８と、記憶部２２０と、操作部２２４と、制御部２３０と、再生部２４０と、電力供給部２７０と、を備える。
【００６４】
通信部２１６は、コンテンツ配信サーバ１０やＰＣ３０などの外部装置とのインターフェースであり、送信部または受信部としての機能を有する。例えば、通信部２１６は、コンテンツ配信サーバ１０から無線電波を用いて連続的（リアルタイム）に放送されたテレビ番組や映画などのコンテンツデータを受信することができる。コンテンツ配信サーバ１０から送信されるコンテンツデータは、デジタル形式であっても、アナログ形式であってもよい。
【００６５】
なお、通信部２１６は、図３に示した通信装置２１５を機能させるためのソフトウェアであっても、該ソフトウェアに基づいて動作する通信装置２１５であってもよい。また、図４においては、通信部２１６とコンテンツ配信サーバ１０とが直接通信を行う場合を示しているが、通信部２１６とコンテンツ配信サーバ１０とは図１に示したように通信網１２を介して通信を行ってもよい。
【００６６】
記録部２１８は、通信部２１６が受信したコンテンツデータを記憶部２２０に記録する。また、記録部２１８は、光ディスクやフラッシュメモリに記録されたコンテンツデータを取得して記憶部２２０に記録することもできる。
【００６７】
記憶部２２０は、コンテンツデータを記憶する記憶媒体として機能する。記憶部２２０は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ／ＲＷ、ＤＶＤ−Ｒ／ＲＷ／＋Ｒ／＋ＲＷ／ＲＡＭおよびＢＤ（Ｂｌｕ−Ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。
【００６８】
操作部２２４は、指示操作部２３、ホールド操作部２６、音量操作部２８を含み、携帯機器２０に対する各種のユーザ操作を検出する。例えば、指示操作部２３はコンテンツデータの再生、早送り、一時停止、曲送りなどを指示する指示操作を検出し、ホールド操作部２６は指示操作部２３に対する指示操作を受け付けないホールドオン状態への設定を指示するホールドオン操作、ホールドオン状態の解除を指示するホールドオフ操作を検出し、音量操作部２８は再生されるコンテンツデータの音量の増加指示、減少指示を検出する。
【００６９】
制御部２３０は、操作制御部２３２、状態制御部２３４、を含み、携帯機器２０の動作全般を制御する。
【００７０】
操作制御部２３２は、操作部２２４が検出したユーザ操作に対応する処理を携帯機器２０に実行させる。例えば、操作制御部２３２は、指示操作部２３によりコンテンツデータの再生指示が検出されると、該コンテンツデータを記憶部２２０から再生部２４０に供給し、再生部２４０に該コンテンツデータを再生させる。また、操作制御部２３２は、音量操作部２８によりコンテンツデータの再生音量の減少指示が検出されると、再生部２４０の音声出力部２６４が出力する音声の音量を下げさせる。
【００７１】
状態制御部２３４は、ホールド操作部２６が検出したホールドオン操作に基づいて携帯機器２０をホールドオン状態に設定し、ホールド操作部２６が検出したホールドオフ操作に基づいて携帯機器２０をホールドオフ状態に設定する。ホールドオン状態は、指示操作部２３に対する指示操作を受け付けない状態である。例えば、ホールドオン状態は、指示操作部２３に指示操作を検出する動作を停止させた状態や、指示操作部２３が検出した指示操作を無効とする状態であってもよい。したがって、ホールドオン状態においては、ユーザが指示操作部２３に対して所定の処理の実行を指示する操作を行なっても、携帯機器２０は該所定の処理を実行しない。一方、ホールドオフ状態においては、携帯機器２０はユーザが指示操作部２３に対して行なった操作に基づいた処理を実行する。
【００７２】
ここで、操作制御部２３２は、携帯機器２０がホールドオン状態である間にも、音量操作部２８により検出された音量調整操作を有効にしてもよい。かかる構成においては、例えば、ユーザが音量操作部２８に対して音量調整操作を行なうと、状態制御部２３４によりホールドオン状態に設定されているか否かに拘らず、再生される音声の音量を調整される。すなわち、ユーザが音量調整のためにホールドオン状態を解除する必要がない点で有効である。
【００７３】
また、状態制御部２３４は、ホールド操作部２６が検出したホールドオン操作またはホールドオフ操作に基づいて、電力供給部２７０が再生部２４０に供給する電力を制御する。電力供給部２７０は、状態制御部２３４による制御にしたがって再生部２４０に電力を供給する。かかる状態制御部２３４および電力供給部２７０の具体的な機能、動作例については、図５〜図１１を参照して後述する。
【００７４】
再生部２４０は、映像処理部２５０と音声処理部２６０を含み、記憶部２２０が記憶するコンテンツデータ、または通信部２１６が受信したコンテンツデータを再生する。映像処理部２５０は、映像デコード部２５２と表示部２５４を含み、音声処理部２６０は音声デコード部２６２と音声出力部２６４を含む。
【００７５】
映像デコード部２５２は、通信部２１６または記憶部２２０から入力される映像データをデコードする。例えば、映像デコード部２５２は、ＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）、ＭＰＥＧ（Ｍｏｖｉｎｇ  Ｐｉｃｔｕｒｅ  Ｅｘｐｅｒｔｓ  Ｇｒｏｕｐ）１、ＭＰＥＧ２またはＭＰＥＧ４などのデータ形式の映像データをデコードすることができる。
【００７６】
表示部２５４は、映像デコード部２５２がデコードした映像データを表示する。表示部２４８は、図２に示した表示部２１や図３に示した出力装置２１０に対応し、例えば液晶ディスプレイであってもよい。
【００７７】
音声デコード部２６２は、通信部２１６または記憶部２２０から入力される音声データをデコードする。例えば、音声デコード部２６２は、ＭＰ３（ＭＰＥＧ１  Ｌａｙｅｒ−３）、ＡＡＣ（Ａｄｖａｎｃｅｄ  Ａｕｄｉｏ  Ｃｏｄｅｃ）、ＬＰＣＭ（Ｌｉｎｅａｒ  ＰＣＭ）、ＷＭＡ９（Ｗｉｎｄｏｗｓ  Ｍｅｄｉａ  Ａｕｄｉｏ９）、ＡＴＲＡＣ（Ａｄａｐｔｉｖｅ  ＴＲａｎｓｆｏｒｍ  Ａｃｏｕｓｔｉｃ  Ｃｏｄｉｎｇ）またはＡＴＲＡＣ３などのデータ形式の音声データをデコードすることができる。
【００７８】
音声出力部２６４は、音声デコード部２６２がデコードした音声データを出力する。音声出力部２６４は、図２に示した音声出力部２２や図３に示した出力装置２１０に対応し、例えばイヤホンやヘッドホンであってもよい。
【００７９】
以上、図３および図４を参照して本実施形態にかかる携帯機器２０の構成を説明した。続いて、状態制御部２３４の再生部２４０に対する制御例を説明する。
【００８０】
本実施形態にかかる状態制御部２３４は、上述したように、ホールド操作部２６が検出したホールドオン操作、およびホールドオフ操作に基づいて電力供給部２７０が再生部２４０に供給する電力を制御したり、再生部２４０の動作および停止を制御する。例えば、状態制御部２３４は、映像デコード部２５２をオンさせたり、映像デコード部２５２をオフさせることができる。なお、状態制御部２３４は、電力供給部２７０に映像デコード部２５２への電力供給を行なわせるか否かを制御して映像デコード部２５２のオン、オフを切り替えさせてもよい。
【００８１】
同様に、状態制御部２３４は、電力供給部２７０に表示部２５４への電力の供給を行なわせて表示部２５４をオンさせたり、電力供給部２７０に表示部２５４への電力の供給を遮断させて表示部２５４をオフさせることができる。ここで、表示部２５４が液晶ディスプレイである場合、表示部２５４がオフされた状態は、液晶ディスプレイのバックライトが消えた状態、または液晶分子への電圧の印加が停止された状態の少なくともいずれかであってもよい。また、状態制御部２３４は、電力供給部２７０に音声処理部２６０への電力の供給を行なわせて音声処理部２６０をオンさせたり、電力供給部２７０に音声処理部２６０への電力の供給を遮断させて音声処理部２６０をオフさせることができる。
【００８２】
状態制御部２３４は、上述のような再生部２４０の各構成のオン、オフを、ホールド操作部２６によるホールドオン操作またはホールドオフ操作の検出に基づいて多様なタイミングで行なうことができる。以下、状態制御部２３４が再生部２４０の各構成のオン、オフを行うタイミングのパターン例を図面を参照して説明する。
【００８３】
（制御パターン１）
まず、状態制御部２３４が制御パターン１で再生部２４０の各構成のＯＮ、ＯＦＦを行う例を説明する。制御パターン１によれば、ホールドオン操作およびホールドオフ操作の検出と、表示部２５４による映像の表示のオン、オフとの時間差を抑制することができる。
【００８４】
図５は、状態制御部２３４による映像処理部２５０のオン、オフ制御の様子を示した説明図である。図５では、タイミングＴ１にホールドオン操作が検出され携帯機器２０がホールドオン状態に設定され、タイミングＴ２にホールドオフ操作が検出され携帯機器２０がホールドオフ状態に設定された例を示している。
【００８５】
制御パターン１においては、状態制御部２３４は、ホールドオン操作が検出されたタイミングＴ１に、電力供給部２７０が表示部２５４に供給する電力を遮断させ、表示部２５４をオフさせる。また、状態制御部２３４は、ホールドオフ操作が検出されたタイミングＴ２に、電力供給部２７０に表示部２５４への電力の供給を行なわせる。
【００８６】
一方、状態制御部２３４は、ホールドオン操作およびホールドオフ操作の有無に拘らず、電力供給部２７０に映像デコード部２５２への電力の供給を継続的に行なわせる。なお、当該制御パターンにおいては、ホールドオン操作およびホールドオフ操作の有無に拘らず音声処理部２６０をオンさせている。
【００８７】
かかる制御パターン１によれば、ホールドオン状態に設定されている間に表示部２５４をオフさせることができるため、表示部２５４および携帯機器２０において消費される消費電力を抑制することができる。また、映像デコード部２５２は、電源の供給が開始されてからデコードした映像データを出力するまでに時間を要する場合がある。そこで、制御バターン１のように映像デコード部２５２を継続的にオンさせておくことにより、ホールドオフ操作の検出と、表示部２５４による映像の表示との時間差を抑制することができる。
【００８８】
（制御パターン２）
続いて、状態制御部２３４が制御パターン２で再生部２４０の各構成のＯＮ、ＯＦＦを行う例を説明する。制御パターン２によれば、携帯機器２０において消費される電力を一層削減することができる。
【００８９】
図６は、状態制御部２３４による映像処理部２５０のオン、オフ制御の様子を示した説明図である。図５では、タイミングＴ１にホールドオン操作が検出され携帯機器２０がホールドオン状態に設定され、タイミングＴ２にホールドオフ操作が検出され携帯機器２０がホールドオフ状態に設定された例を示している。
【００９０】
制御パターン２においては、状態制御部２３４は、ホールドオン操作が検出されたタイミングＴ１に、電力供給部２７０が表示部２５４に供給する電力を遮断させ、表示部２５４をオフさせる。また、状態制御部２３４は、ホールドオフ操作が検出されたタイミングＴ２に、電力供給部２７０に表示部２５４への電力の供給を行なわせる。
【００９１】
また、状態制御部２３４は、ホールドオン操作が検出されたタイミングＴ１に映像デコード部２５２をオフさせる。また、状態制御部２３４は、ホールドオフ操作が検出されたタイミングＴ２に映像デコード部２５２をオンさせる。なお、当該制御パターンにおいては、ホールドオン操作およびホールドオフ操作の有無に拘らず音声処理部２６０をオンさせている。
【００９２】
図７は、上述の制御パターン２に基づく状態制御部２３４の制御の流れを示したフローチャートである。まず、状態制御部２３４は、携帯機器２０が現在ホールドオン状態であるか否かを判断する（Ｓ３００）。状態制御部２３４は、携帯機器２０が現在ホールドオン状態でないと判断するとＳ３００の処理を繰り返す。
【００９３】
一方、状態制御部２３４は、Ｓ３００において携帯機器２０が現在ホールドオン状態であると判断すると、表示部２５４および映像デコード部２５２をオフさせる（Ｓ３１０）。続いて、状態制御部２３４は、ホールド操作部２６によりホールドオフ操作が検出されたか否かを判断する（Ｓ３２０）。状態制御部２３４は、ホールドオン操作が検出されていないと判断するとＳ３２０の処理を繰り返す。状態制御部２３４は、Ｓ３２０においてホールドオフ操作が検出されたと判断すると、表示部２５４および映像デコード部２５２をオンさせる（Ｓ３３０）。
【００９４】
かかる制御パターン２によれば、ホールドオン状態に設定されている間に表示部２５４および映像デコード部２５２をオフさせることができるため、映像処理部２５０および携帯機器２０において消費される消費電力を一層削減することができる。
【００９５】
（制御パターン３）
続いて、状態制御部２３４が制御パターン３で再生部２４０の各構成のＯＮ、ＯＦＦを行う例を説明する。制御パターン３によれば、ユーザが誤ってホールドオン操作をした場合に映像表示が停止されてしまうことを防止できる。
【００９６】
図８は、状態制御部２３４による映像処理部２５０のオン、オフ制御の様子を示した説明図である。図８では、タイミングＴ１にホールドオン操作が検出され携帯機器２０がホールドオン状態に設定され、タイミングＴ２にホールドオフ操作が検出され携帯機器２０がホールドオフ状態に設定された例を示している。
【００９７】
制御パターン３においては、状態制御部２３４は、ホールドオン操作が検出されたタイミングＴ１から時間λ１（第一の所定時間）が経過すると、電力供給部２７０が表示部２５４に供給する電力を遮断させ、表示部２５４をオフさせる。また、状態制御部２３４は、ホールドオフ操作が検出されたタイミングＴ２に、電力供給部２７０に表示部２５４へ電力を供給させて表示部２５４をオンさせる。
【００９８】
また、状態制御部２３４は、ホールドオン操作が検出されたタイミングＴ１から時間λ２（第二の所定時間）が経過すると映像デコード部２５２をオフさせる。また、状態制御部２３４は、ホールドオフ操作が検出されたタイミングＴ２に映像デコード部２５２をオンさせる。
【００９９】
かかる制御パターン３は、上述したように、ホールドオン操作が検出されても直ちに再生部２４０に対する電源供給を遮断しない。したがって、ユーザが誤って、または無意識にホールドオン操作を行なってしまった度に表示部２５４による映像表示が停止されることを防止できる。
【０１００】
（制御パターン４）
続いて、状態制御部２３４が制御パターン４で再生部２４０の各構成のＯＮ、ＯＦＦを行う例を説明する。制御パターン４によれば、ホールドオン状態であっても表示部２５４に一時的に映像を表示させることができる。
【０１０１】
図９は、状態制御部２３４による映像処理部２５０のオン、オフ制御の様子を示した説明図である。図９では、タイミングＴ１にホールドオン操作が検出され携帯機器２０がホールドオン状態に設定され、タイミングＴ３に指示操作が検出され、タイミングＴ２にホールドオフ操作が検出され携帯機器２０がホールドオフ状態に設定された例を示している。
【０１０２】
制御パターン４においては、状態制御部２３４は、ホールドオン操作が検出されたタイミングＴ１に、電力供給部２７０が表示部２５４に供給する電力を遮断させ、表示部２５４をオフさせる。また、状態制御部２３４は、携帯機器２０に対して所定の処理の実行を指示する指示操作が検出されたタイミングＴ３において、一時的に表示部２５４への電力供給を行い表示部２５４をオンさせる。また、状態制御部２３４は、ホールドオフ操作が検出されたタイミングＴ２に、電力供給部２７０に表示部２５４へ電力を供給させて表示部２５４をオンさせる。
【０１０３】
一方、状態制御部２３４は、指示操作、ホールドオン操作およびホールドオフ操作の有無に拘らず、映像デコード部２５２を継続的に動作させる。なお、当該制御パターンにおいては、ホールドオン操作およびホールドオフ操作の有無に拘らず音声処理部２６０をオンさせている。
【０１０４】
かかる制御パターン４においては、携帯機器２０のユーザが指示操作を行なうことにより、ホールドオン状態であっても一時的に映像を表示部２５４に表示させることができる。例えば、映像の表示が停止されていても、ユーザは、再生されているコンテンツデータの音声に基づきコンテンツデータの映像を見たいと感じる場合がある。上記制御パターン４によれば、このような場合、ユーザが容易に表示部２５４に映像を一時的に表示させることができるため便利である。
【０１０５】
（制御パターン５）
続いて、状態制御部２３４が制御パターン５で再生部２４０の各構成のＯＮ、ＯＦＦを行う例を説明する。制御パターン５によれば、ユーザが誤ってホールドオフ操作を行なった場合に、表示部２５４が映像表示を再開してしまうことを防止できる。
【０１０６】
図１０は、状態制御部２３４による映像処理部２５０のオン、オフ制御の様子を示した説明図である。図５では、タイミングＴ１にホールドオン操作が検出され携帯機器２０がホールドオン状態に設定され、タイミングＴ２にホールドオフ操作が検出され携帯機器２０がホールドオフ状態に設定され、タイミングＴ４に任意のユーザ操作が検出された例を示している。
【０１０７】
制御パターン５においては、状態制御部２３４は、ホールドオン操作が検出されたタイミングＴ１に、電力供給部２７０が表示部２５４に供給する電力を遮断させ、表示部２５４をオフさせる。また、状態制御部２３４は、ホールドオフ操作が検出されたタイミングＴ２以降の任意のユーザ操作が検出されたタイミングＴ４に電力供給部２７０に表示部２５４への電力の供給を行なわせる。
【０１０８】
同様に、状態制御部２３４は、ホールドオン操作が検出されたタイミングＴ１に映像デコード部２５２をオフさせる。また、状態制御部２３４は、ホールドオフ操作が検出されたタイミングＴ２以降の任意のユーザ操作が検出されたタイミングＴ４に映像デコード部２５２をオンさせる。なお、当該制御パターンにおいては、ホールドオン操作およびホールドオフ操作の有無に拘らず音声処理部２６０をオンさせている。
【０１０９】
図１１は、上述の制御パターン３、制御パターン４および制御パターン５を適用した状態制御部２３４による再生方法の流れを示したフローチャートである。まず、状態制御部２３４は、携帯機器２０が現在ホールドオン状態であるか否かを判断する（Ｓ４０４）。状態制御部２３４は、携帯機器２０が現在ホールドオン状態でないと判断するとＳ４０４の処理を繰り返す。一方、状態制御部２３４は、携帯機器２０が現在ホールドオン状態であると判断すると現在時刻を基点時刻として記憶する（Ｓ４０８）。
【０１１０】
そして、状態制御部２３４は基点時刻から時間λ１が経過したか否かを判断する（Ｓ４１２）。状態制御部２３４は、基点時刻から時間λ１が経過していないと判断すると、携帯機器２０がホールドオフ状態である場合にはＳ４０４の処理に戻り、携帯機器２０がホールドオフ状態でない場合にはＳ４１２の処理に戻る（Ｓ４１６）。一方、状態制御部２３４は、Ｓ４１２において基点時刻から時間λ１が経過したと判断すると表示部２５４をオフさせる（Ｓ４２０）。
【０１１１】
その後、状態制御部２３４は、指示操作部２３により指示操作が検出されたか否かを判断する（Ｓ４２４）。状態制御部２３４は、指示操作部２３により指示操作が検出されたと判断すると表示部２５４を一時的にオンさせる（Ｓ４２８）。一方、状態制御部２３４は、指示操作部２３により指示操作が検出されていないと判断すると、基点時刻から時間λ２が経過したか否かを判断する（Ｓ４３２）。
【０１１２】
状態制御部２３４は、Ｓ４３４において基点時刻から時間λ２が経過していないと判断すると、携帯機器２０がホールドオフ状態である場合にはＳ４０４の処理に戻り、携帯機器２０がホールドオフ状態でない場合にはＳ４３２の処理に戻る（Ｓ４３６）。一方、状態制御部２３４は、Ｓ４３２において基点時刻から時間λ２が経過したと判断すると映像デコード部２５２をオフさせる（Ｓ４４０）。
【０１１３】
次いで、状態制御部２３４は、携帯機器２０がホールドオフ状態であるか否かを判断する（Ｓ４４４）。状態制御部２３４は、携帯機器２０がホールドオフ状態でないと判断した場合にはＳ４４４の処理を繰り返す。一方、状態制御部２３４は、携帯機器２０がホールドオン状態であると判断した場合には、操作部２２４に対する任意のユーザ操作が検出されたか否かを判断する（Ｓ４４８）。
【０１１４】
状態制御部２３４は、Ｓ４４８において任意のユーザ操作が検出されていないと判断すると、携帯機器２０がホールドオン状態である場合にはＳ４４４の処理に戻り、携帯機器２０がホールドオフ状態である場合にはＳ４４８の処理に戻る（Ｓ４５２）。一方、状態制御部２３４は、Ｓ４４８において任意のユーザ操作が検出されたと判断すると、表示部２５４および映像デコード部２５２をオンさせ、Ｓ４０４の処理に戻る。
【０１１５】
このように、本実施形態にかかる状態制御部２３４は、上述のような多様な制御パターンまたは制御パターンの組合せにより再生部２４０の各構成をオン、オフさせることができる。なお、このような制御パターンは、図１２に示す表示画面上でユーザが選択できるようにしてもよい。
【０１１６】
図１２は、状態制御部２３４が適用する制御パターンの設定画面の一例を示した説明図である。表示部２５４が表示する制御パターンの設定画面には、制御パターン１に該当する「パターン１」、制御パターン２に該当する「パターン２」、制御パターン３に該当する「パターン３」、制御パターン４に該当する「パターン４」などが選択項目として含まれる。ユーザは、指示操作部２３を操作し、かかる選択項目のうちから所望する選択項目にカーソル４０をあわせ、状態制御部２３４が適用する制御パターンを設定することができる。
【０１１７】
また、表示部２５４が表示する映像は、コンテンツデータに含まれる映像データが映像デコード部２５２によりデコードされた映像であっても、音声データからなるコンテンツデータの再生状況を示す映像であってもよい。コンテンツデータの再生状況を示す映像例を図１３を参照して説明する。
【０１１８】
図１３は、表示部２５４が表示するコンテンツデータの再生状況を示す映像例を示した説明図である。表示部２５４が表示するコンテンツデータの再生状況を示す映像には、コンテンツ情報５０と、プログレスバー６０とを含む。
【０１１９】
コンテンツ情報５０は再生中のコンテンツデータの情報であり、例えば、コンテンツ名、アルバム名、アーティスト名、ジャンル、再生回数などを含む。図１３に示した例では、コンテンツ情報５０は、コンテンツ名「トビウマライダー」と、アルバム名「エムカブ」と、アーティスト名「ポルノトリップ」を含む。
【０１２０】
プログレスバー６０は、あるコンテンツデータが現時点までに再生された程度を示す情報である。図１３に示した例では、長さが４分４６秒であるコンテンツデータが、３分１秒まで再生されている場合を示している。また、コンテンツデータの再生が進むにつれて、色を付した領域が図１３の右側に広がっていくようにしてもよい。
【０１２１】
以上説明したように、本発明の第１の実施形態にかかる携帯機器２０は、ホールドオン操作が検出されると映像を表示するための少なくとも一部の処理を停止する。したがって、混んだ電車内や運転中などユーザが携帯機器２０の表示画面を見れない場面や、映像が必ずしも重要でないコンテンツデータを再生する場合においては、ユーザがホールド操作部２６に対してホールドオン操作を行い映像処理部２５０における少なくとも一部の処理を停止させ、映像処理部２５０および携帯機器２０の消費電力を抑制することができる。
【０１２２】
また、本実施形態にかかる携帯機器２０は、ホールドオン操作に基づいて、ホールドオン状態の設定と、映像処理部２５０における少なくとも一部の処理の停止とを連動して行えるようにした。かかる構成によれば、携帯機器２０のホールドオン状態の設定と、映像処理部２５０における少なくとも一部の処理の停止と、をユーザがホールド操作部２６に対してホールドオン操作を行うのみで実現できるため、ユーザの利便性を向上させることができる。
【０１２３】
（第２の実施形態）
次に、本発明の第２の実施形態について説明する。本実施形態にかかる携帯機器２０は、ホールドオン操作に基づいて、ホールドオン状態の設定と、音声処理部２６０における少なくとも一部の処理の停止とを連動して行えるようにした。本実施形態にかかる携帯機器２０の構成は、第１の実施形態の説明において図３および図４を用いて説明した内容と実質的に同一であるので、重複部分については説明を省略する。
【０１２４】
図１４は、本実施形態にかかる状態制御部２３４による再生方法の流れを示したフローチャートである。まず、本実施形態にかかる状態制御部２３４は、携帯機器２０が現在ホールドオン状態であるか否かを判断する（Ｓ５０４）。状態制御部２３４は、携帯機器２０が現在ホールドオン状態でないと判断するとＳ５０４の処理を繰り返す。一方、状態制御部２３４は、携帯機器２０が現在ホールドオン状態でないと判断すると現在時刻を基点時刻として記憶する（Ｓ５０８）。
【０１２５】
そして、状態制御部２３４は基点時刻から時間λ１が経過したか否かを判断する（Ｓ５１２）。状態制御部２３４は、基点時刻から時間λ１が経過していないと判断すると、携帯機器２０がホールドオフ状態である場合にはＳ５０４の処理に戻り、携帯機器２０がホールドオフ状態でない場合にはＳ５１２の処理に戻る（Ｓ５１６）。一方、状態制御部２３４は、Ｓ５１２において基点時刻から時間λ１が経過したと判断すると音声出力部２６４をオフさせる（Ｓ５２０）。
【０１２６】
その後、状態制御部２３４は、指示操作部２３により指示操作が検出されたか否かを判断する（Ｓ５２４）。状態制御部２３４は、指示操作部２３により指示操作が検出されたと判断すると音声出力部２６４を一時的にオンさせる（Ｓ５２８）。一方、状態制御部２３４は、指示操作部２３により指示操作が検出されていないと判断すると、基点時刻から時間λ２が経過したか否かを判断する（Ｓ５３２）。
【０１２７】
状態制御部２３４は、Ｓ５３４において基点時刻から時間λ２が経過していないと判断すると、携帯機器２０がホールドオフ状態である場合にはＳ５０４の処理に戻り、携帯機器２０がホールドオフ状態でない場合にはＳ５３２の処理に戻る（Ｓ５３６）。一方、状態制御部２３４は、Ｓ５３２において基点時刻から時間λ２が経過したと判断すると音声デコード部２６２をオフさせる（Ｓ５４０）。
【０１２８】
次いで、状態制御部２３４は、携帯機器２０がホールドオフ状態であるか否かを判断する（Ｓ５４４）。状態制御部２３４は、携帯機器２０がホールドオフ状態でないと判断した場合にはＳ５４４の処理を繰り返す。一方、状態制御部２３４は、携帯機器２０がホールドオン状態であると判断した場合には、操作部２２４に対する任意のユーザ操作が検出されたか否かを判断する（Ｓ５４８）。
【０１２９】
状態制御部２３４は、Ｓ５４８において任意のユーザ操作が検出されていないと判断すると、携帯機器２０がホールドオン状態である場合にはＳ５４４の処理に戻り、携帯機器２０がホールドオフ状態である場合にはＳ５４８の処理に戻る（Ｓ５５２）。一方、状態制御部２３４は、Ｓ５４８において任意のユーザ操作が検出されたと判断すると、音声出力部２６４および音声デコード部２６２をオンさせ、Ｓ５０４の処理に戻る。
【０１３０】
上述したように、本発明の第２の実施形態にかかる携帯機器２０は、ホールドオン操作が検出されると音声を出力するための少なくとも一部の処理を停止する。したがって、電車内や喫茶店など携帯機器２０から音声を出力させるべきでない場所においては、ユーザがホールド操作部２６に対してホールドオン操作を行い音声処理部２６０における少なくとも一部の処理を停止させ、音声処理部２６０および携帯機器２０の消費電力を抑制することができる。
【０１３１】
また、本実施形態にかかる携帯機器２０は、ホールドオン操作に基づいて、ホールドオン状態の設定と、音声処理部２６０における少なくとも一部の処理の停止とを連動して行えるようにした。かかる構成によれば、携帯機器２０のホールドオン状態の設定と、音声処理部２６０における少なくとも一部の処理の停止と、をユーザがホールド操作部２６に対してホールドオン操作を行うのみで実現できるため、ユーザの利便性を向上させることができる。
【０１３２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１３３】
例えば、第１の実施形態においては、制御パターン１〜制御パターン５を例にあげて状態制御部２３４の動作を説明したが、本発明はかかる例に限定されない。例えば、状態制御部２３４は、ホールドオン操作が検出されると映像デコード部２５２のみをオフさせるなど、多様な変形例が想定される。
【０１３４】
また、第１の実施形態においては、図１１の説明において時間λ１および時間λ２の経過を、基点時刻を用いて判断する構成を説明したが、本発明はかかる例に限定されない。例えば、状態制御部２３４は、ホールドオン操作が検出されると時間λ１からカウントダウンを行なうタイマー、および時間λ２からカウントダウンを行なうタイマーを用い、カウント値が０になったか否かに基づいて時間λ１および時間λ２の経過を判断してもよい。
【０１３５】
また、本明細書の携帯機器２０の処理における各ステップは、必ずしもフローチャートとして記載された順序に沿って時系列に処理する必要はなく、並列的あるいは個別に実行される処理（例えば、並列処理あるいはオブジェクトによる処理）も含むとしてもよい。
【０１３６】
また、携帯機器２０に内蔵されるＣＰＵ２０１、ＲＯＭ２０２およびＲＡＭ２０３などのハードウェアを、上述した携帯機器２０の各構成と同等の機能を発揮させるためのコンピュータプログラムも作成可能である。また、当該コンピュータプログラムを記憶した記憶媒体も提供可能である。
【図面の簡単な説明】
【０１３７】
【図１】本発明の第１の実施形態にかかるコンテンツ通信システムの構成を示した説明図である。
【図２】同実施形態にかかる本実施形態にかかる携帯機器の外観構成例を示した説明図である。
【図３】同実施形態にかかる携帯機器のハードウェア構成を示した説明図である。
【図４】同実施形態にかかる携帯機器の構成を示した機能ブロック図である。
【図５】状態制御部による映像処理部のオン、オフ制御の様子を示した説明図である。
【図６】状態制御部による映像処理部の他のオン、オフ制御の様子を示した説明図である。
【図７】状態制御部の制御の流れを示したフローチャートである。
【図８】状態制御部による映像処理部の他のオン、オフ制御の様子を示した説明図である。
【図９】状態制御部による映像処理部の他のオン、オフ制御の様子を示した説明図である。
【図１０】状態制御部による映像処理部の他のオン、オフ制御の様子を示した説明図である。
【図１１】同実施形態にかかる状態制御部による再生方法の流れを示したフローチャートである。
【図１２】状態制御部が適用する制御パターンの設定画面例を示した説明図である。
【図１３】表示部が表示するコンテンツデータの再生状況を示す映像例を示した説明図である。
【図１４】本発明の第２の実施形態にかかる状態制御部による再生方法の流れを示したフローチャートである。
【符号の説明】
【０１３８】
１０        コンテンツ配信サーバ
２０        携帯機器
２３        指示操作部
２６        ホールド操作部
２８        音量操作部
３０        ＰＣ
２１６      通信部
２１８      記録部
２２０      記憶部
２２４      操作部
２３０      制御部
２３４      状態制御部
２４０      再生部
２５０      映像処理部
２５２      映像デコード部
２５４      表示部
２６２      音声デコード部
２６４      音声出力部
２７０      電力供給部
【図１】
2008204512.tif 000003
【図２】
2008204512.tif 000004
【図３】
2008204512.tif 000005
【図４】
2008204512.tif 000006
【図５】
2008204512.tif 000007
【図６】
2008204512.tif 000008
【図７】
2008204512.tif 000009
【図８】
2008204512.tif 000010
【図９】
2008204512.tif 000011
【図１０】
2008204512.tif 000012
【図１１】
2008204512.tif 000013
【図１２】
2008204512.tif 000014
【図１３】
2008204512.tif 000015
【図１４】
2008204512.tif 000016